(57)【要約】【課題】ホイッスルを、走るためやボディーランゲージの際に指から離した状態から吹く体勢に、瞬時に構えられるようにする。【解決手段】ホイッスル１１とホイッスル用グリップ１とが互いに定形連結具９で回転可能に連結され、指間部２が隣り合う２本の指の間に挟み込まれ、第１指甲部３が隣り合う２本の指のうちの一方の指の甲側に配置され、第１指腹部４が当該一方の指の腹側に配置され、第２指甲部５が隣り合う２本の指のうちの他方の指の甲側に配置され、第２指腹部６が当該他方の指の腹側に配置され、ホイッスル用グリップ１が右手又は左手に装着された状態において、ホイッスル１１がホイッスル用グリップ１に折り重なった状態から、使用者がホイッスル１１を人差指の側に回転させて人差指と親指とで持つことができ、ホイッスル１１を走るためやボディーランゲージの際に指から離した状態から吹く体勢に瞬時に構えることができる。【選択図】図１
2010256484.tif 000002
【特許請求の範囲】
【請求項１】
使用者の手又は手の指に装着する装着部と、装着部の手又は手の指に装着された場合の掌側又は指の腹側に位置する部分にホイッスルを回転可能に連結するように設けられたグリップ側係留部とを備えたことを特徴とするホイッスル用グリップ。
【請求項２】
装着部が使用者の隣り合う２本の指の間に挟み込まれる指間部と２本の指のうちの一方の指の甲側に配置される第１指甲部と当該一方の指の腹側に配置される第１指腹部と２本の指のうちの他方の指の甲側に配置される第２指甲部又は当該他方の指の腹側に配置される第２指腹部と備え、グリップ側係留部が第１指腹部又は第２指腹部に設けられたことを特徴とする請求項１記載のホイッスル用グリップ。
【請求項３】
使用者の手又は手の指に装着するホイッスル用グリップと、ホイッスルと、ホイッスルをホイッスル用グリップの手又は手の指に装着された場合の掌側又は指の腹側に位置する部分に回転可能に連結する形状保持性能を有する材料からなる定形連結具とを備えたことを特徴とするグリップ付きホイッスル。
【請求項４】
ホイッスル用グリップが使用者の隣り合う２本の指の間に挟み込まれる指間部と２本の指のうちの一方の指の甲側に配置される第１指甲部と当該一方の指の腹側に配置される第１指腹部と２本の指のうちの他方の指の甲側に配置される第２指甲部又は当該他方の指の腹側に配置される第２指腹部と第１指腹部の外側端部又は第２指腹部の外側端部に設けられるグリップ側係留部とを備え、ホイッスルがマウスピース部と共鳴室部及びホイッスル側係留部を仮想した１本の直線の一端から他端に向けて順に配置してなることを特徴とする請求項３記載のグリップ付きホイッスル。
【発明の詳細な説明】
【技術分野】
【０００１】
本発明は、走るためにホイッスルを手の中に握った状態からでも、ボディーランゲージのためにホイッスルを離した状態からでも、ホイッスルを吹く体勢に瞬時に構えられるホイッスル用グリップ及びグリップ付きホイッスルに関する。
【背景技術】
【０００２】
図７は、非特許文１で開示されたサッカーのような運動競技の審判に用いられるグリップ付きホイッスルを示す。図７におけるグリップ付きホイッスルは、グリップ３１とホイッスル３２とが固定され、グリップ３１が２本の指３３に固定されているので、口とホイッスル３２との位置ずれを吸収できず、人差指と親指とでホイッスルを挟む場合に比べ、走りながら吹きにくいという欠点がある。
【０００３】
図８は、非特許文献２で開示されたホイッスルを示す。図８におけるホイッスルは、手首３７に装着されたグリップ３４とホイッスル３５とが可撓性を有するベルト３６で互いに連結されているので、ボディーランゲージなどでホイッスル３５を指から離した場合、吹く体勢に瞬時に構えられないという欠点がある。図８では、ホイッスル３５を人差指３８と親指３９とで持った態様を例示した。
【先行技術文献】
【非特許文献】
【０００４】
【非特許文献１】FOX40  Product  Catalog、[online］、[2009年3月19日検索]、インターネット(ULR:http://www.fox40world.com/index.cfm?DSP=ProductDetail&ProduCtID=134&SubCatID=0&CategoryID=238&pagepath=Products/Product Catalog&id=4130)
【非特許文献２】FOX40  Product  Catalog、[online］、[2009年3月19日検索]、インターネット(http://www.fox40world.com/index.cfm?DSP=ProductDetail&CategoryID=240&SubCatID0&ProductID=162&pagepath=Products/Product Catalog&id=4130)
【発明の概要】
【発明が解決しようとする課題】
【０００５】
発明が解決しようとする問題点は、ホイッスルを、走るためやボディーランゲージの際に指から離した状態から吹く体勢に、瞬時に構えられないという点である。
【課題を解決するための手段】
【０００６】
本発明に係るホイッスル用グリップ及びグリップ付きホイッスルは、ホイッスルをホイッスル用グリップの使用者の手又は手の指に装着された場合の掌側又は指の腹側に位置する部分に定形連結具で回転可能に連結し得ることを最も主要な特徴とする。
【発明の効果】
【０００７】
本発明に係るホイッスル用グリップ及びグリップ付きホイッスルは、ホイッスルを定形連結具で回転可能に連結したホイッスル用グリップが使用者の手に装着された状態において、ホイッスルがホイッスル用グリップに折り重なった状態から、使用者がホイッスルを人差指の側に回転させて親指と人差指とで持つことによって、ホイッスルを走るためやボディーランゲージの際に指から離した状態から吹く体勢に瞬時に構えることができるという利点がある。
【図面の簡単な説明】
【０００８】
【図１】実施の形態１のホイッスル付きホイッスル用グリップを表側から見た斜視図。
【図２】実施の形態１のホイッスル用グリップを手に装着した態様を示す正面図。
【図３】実施の形態１のホイッスル用グリップの使い方を示す斜視図。
【図４】実施の形態１のホイッスル用グリップの使い方を示す斜視図。
【図５】実施の形態２のホイッスル用グリップを示す正面図。
【図６】実施の形態３のホイッスル用グリップを示す正面図。
【図７】従来のグリップ付きホイッスルを示す斜視図。
【図８】従来の異なるグリップ付きホイッスルを示す斜視図。
【発明を実施するための形態】
【０００９】
「実施の形態１」
図１を参照し、実施の形態１に係るホイッスル用グリップ１の構造について説明する。ホイッスル用グリップ１は、指間部２、第１指甲部３、第１指腹部４、第２指甲部５、第２指腹部６、グリップ側係留部７を備える。第１指甲部３及び第２指甲部５が指間部２の一端部に連結され、第１指腹部４及び第２指腹部６が指間部２の他端部に連結される。指間部２と第１指甲部３と第１指腹部４と第２指甲部５及び第２指腹部６が、ホイッスル１１を使用する審判員のような使用者の手に装着する装着部を構成する。
【００１０】
そして、指間部２が使用者の右手又は左手における隣り合う２本の指の間に挟み込まれ、第１指甲部３が上記２本の指のうちの一方の指の甲側に配置され、第２指甲部５が当該一方の指の腹側に配置され、第２指甲部５が上記２本の指のうちの他方の指の甲側に配置され、第２指腹部６が当該他方の指腹側に配置されるように、ホイッスル用グリップ１が使用者の例えば右手又は左手に装着される。
【００１１】
具体的には、指間部２、第１指甲部３、第１指腹部４、第２指甲部５、第２指腹部６が、上記隣り合う２本の指の第２関節と掌との間の部分に配置されるように、ホイッスル用グリップ１が使用者の右手又は左手に装着される。つまり、指間部２、第１指甲部３、第１指腹部４、第２指甲部５、第２指腹部６の横幅Ｌ１は、隣り合う２本の指の第２関節と掌との間の部分の指の長さ方向の寸法のうちの短い方の寸法よりも短い寸法に設定される。
【００１２】
ホイッスル用グリップ１は、金属又は樹脂又はエラストマーのように形状を保持できる材料を用いることができるが、とりわけ、エラストマーで構成されれば、ホイッスル用グリップ１が使用者の右手又は左手に装着された場合、指が痛くないという利点がある。
【００１３】
指間部２と第１指甲部３及び第１指腹部４で囲まれる空間、また、指間部２と第２指甲部５及び第２指腹部６で囲まれる空間は、次のような形状に形成される。その形状は、ホイッスル用グリップ１が使用者の右手又は左手に装着された場合において、使用者が隣り合う２本の指で指間部２を挟むとホイッスル用グリップ１が右手又は左手から抜け落ちることがなく、使用者が隣り合う２本の指を互いに離れるように開いて右手又は左手を下に向けるとホイッスル用グリップ１が右手又は左手から抜け落ちるような態様である。この態様の結果、ホイッスル用グリップ１の着脱が容易になる。
【００１４】
グリップ側係留部７は、第１指腹部４の外側端部と第２指腹部６の外側端部とに設けられる。グリップ側係留部７には、貫通孔８がホイッスル用グリップ１の装着された指の部分と平行する方向に貫通する態様に設けられる。グリップ側係留部７は、例えば、第１指腹部４の指間部２の側に位置する内側部分や第２指腹部６の指間部２の側に位置する内側部分に設けられてもよいが、第１指腹部４の外側端部や第２指腹部６の外側端部に設けられれば、定形連結具９を装着しやすくなる。
【００１５】
一方のグリップ側係留部７としての例えば第１指腹部４の側に位置するグリップ側係留部７には、定形連結具９が回転可能に装着される。定形連結具９は、形状保持性能を有する材料からなる。形状保持性能を有する材料とは、例えば金属又は合成樹脂やエラストマーのように、一定の形に形成された後は、荷重が加えられない通常の状態において、上記形成された一定の形を保つ性質を有する材料のことである。定形連結具９は、円形を図示したが、円形に限定されるものではく、四角形、台形など、少なくとも対峙する部分を有する形であればよい。定形連結具９が円形であれば、定形連結具９に市販品を使用できる。
【００１６】
定形連結具９の一部がグリップ側係留部７の貫通孔８に一端から入って他端に抜けるような態様で装着され、定形連結具９の残部がグリップ側係留部７よりも外側に配置される。定形連結具９では、１本の線材が１つのリングを形成し、その１本の線材の両端が互いに接触したことによって、１本の線材が閉鎖された１つのリングを構成してもよく、又は、１本の線材が１つのリングを形成し、その１本の線材の両端が互いに離れていて、１本の線材が開放された１つのリングを構成してもよく、又は、１本の線材が螺旋状となって２つ以上のリングを形成し、その１本の線材の両端が互いに接触することなく、１本の線材が閉鎖された１つの螺旋状のリングを構成してもよい。上記開放されたリングの場合は、１本の線材の両端が互いに離れる距離がグリップ側係留部７の横幅Ｌ２やホイッスル側係留部１４の横幅Ｌ３のうちの短い方の寸法よりも短い寸法に設定されることによって、定形連結具９によるホイッスル用グリップ１とホイッスル１１との連結態様が適切に維持される。
【００１７】
ホイッスル１１の形状は図１に示す形状に限定されるものではないが、ホイッスル用グリップ１に装着されるホイッスル１１は次のような基本的な形状を備える。つまり、ホイッスル１１は、マウスピース部１２と共鳴室部１３及びホイッスル側係留部１４を仮想した１本の直線の一端から他端に向けて順に配置した基本的な形状を備える。共鳴室部１３のマウスピース部１２との連結部分には、放音口１５；１６がホイッスル１１の腹側とホイッスル１１の背側とに個別に設けられる。ホイッスル側係留部１４には、貫通孔１７が上記直線と直交する方向に貫通する態様に設けられる。放音口１５；１６は何れか一方だけが設けられてもよい。
【００１８】
そして、グリップ側係留部７とホイッスル側係留部１４とが互いに定形連結具９に回転可能に連結された場合、ホイッスル１１は、グリップ付きホイッスルを構成し、ホイッスル用グリップ１に対し定形連結具９におけるグリップ側係留部７に装着された部分と定形連結具９におけるホイッスル側係留部１４に装着された部分とからなる２軸を回転中心として回転可能になる。上記２軸は、貫通孔８の貫通する方向と平行する方向に延びる中心線を回転中心とする態様である。
【００１９】
そして、ホイッスル１１がホイッスル用グリップ１から離れる方向に回転された場合、図１に示すように、ホイッスル１１の腹側に位置する放音口１５がグリッフ側係留部７と同じ方向を向く。ホイッスル１１がホイッスル用グリップ１に近づく方向に回転された場合、放音口１５がグリップ側係留部７と対向する方向を向く。
【００２０】
図１では、第１指腹部４の側に位置するグリップ側係留部７にホイッスル１１を定形連結具９で連結した例を図示したが、ホイッスル用グリップ１が指間部２を対称軸として左右対称に形成されているので、両方のグリップ側係留部７にホイッスル１１を定形連結具９で１ずつ連結し、一方のホイッスル１１を審判に使用し、他方のホイッスル１１を予備として付設していてもよい。そして、審判に使用していたホイッスル１１を予備とし、予備用のホイッスル１１を審判に使用する場合、ホイッスル用グリップ１を右手又は左手から外し、ホイッスル用グリップ１の向きを変えた後、指間部２を隣り合う２本の指の間に挟み、ホイッスル用グリップ１を右手又は左手に装着すればよい。
【００２１】
図２を参照し、実施の形態１に係るホイッスル用グリップ１が使用者の右手又は左手に装着された場合を例として説明する。指間部２が使用者の右手又は左手における隣り合う２本の指２１；２２の間に配置され、第１指甲部３が隣り合う２本の指２１；２２のうちの一方の指２１の甲側に配置され、第１指腹部４が当該一方の指２１の腹側に配置され、第２指甲部５が隣り合う２本の指２１；２２のうちの他方の指２２の甲側に配置され、第２指腹部６が当該他方の指２２の腹側に配置される。これによって、ホイッスル用グリップ１が手に回転しないように確実に着脱できる。
【００２２】
図２に示すように、ホイッスル用グリップ１が指間部２を対称軸として左右対称に形成されていて、グリップ側係留部７が第１指腹部４と第２指甲部５とに設けられていれば、左手及び右手の両方に適切に使用できる。また、図２に示すように、ホイッスル用グリップ１が指間部２を対称軸として左右対称に形成されていれば、何れか一方のグリップ側係留部７は設けなくてもよい。ホイッスル用グリップ１を背面から見た形状は、正面図と同じである（ホイッスル用グリップ１の背面図は、正面図と同じある）。
【００２３】
図３及び図４を参照し、ホイッスル用グリップ１の使い方について、ホイッスル１１が第１指腹部４の側に位置するグリップ側係留部７に定形連結具９で回転可能に装着され、隣り合う２本の指のうちの一方の指を中指２３とし、隣り合う２本の指のうちの他方の指を薬指２４と仮定し、ホイッスル用グリップ１が使用者の右手に装着された場合を例として説明する。
【００２４】
具体的には、図３に示すように、ホイッスル用グリップ１が使用者の右手に装着された場合、指間部２が中指２３と薬指２４との間に挟み込まれ、第１指甲部３が中指２３の甲側に配置され、第１指腹部４が中指２３の腹側に配置され、第２指甲部５が薬指２４の甲側に配置され、第２指腹部６が薬指２４の腹側に配置され、第１指腹部４の側に位置するグリップ側係留部７が人差指２６の側に位置し、第２指腹部６の側に位置するグリップ側係留部７が小指２５の側に位置する。
【００２５】
そして、図３において、ホイッスル１１の腹側が使用者によってホイッスル用グリップ１に折り重なるように操作された場合、ホイッスル１１の腹側に位置する放音口１５がホイッスル用グリップ１の側に配置され、マウスピース部１２が小指２５の腹の側に配置され、ホイッスル１１の背側に位置する放音口１６が親指２７の側に向き、ホイッスル１１がひっくり返されたような態様である。この態様において、使用者がホイッスル用グリップ１の装着された右手の全部の指を握ってホイッスル１１を掌の側に握り締めることができる。
【００２６】
図３のようにホイッスル１１がホイッスル用グリップ１に折り重なった場合において、使用者が矢印Ｘ１で示すように右手を小指２５の側から人差指２６の側に回転するように操作すると、ホイッスル１１が図４に示す態様になる。
【００２７】
次に、図４に示すように、ホイッスル１１及び定形連結具９が第１指腹部４の側に位置するグリップ側係留部７を回転中心として矢印Ｘ２で示す方向に回転し、ホイッスル１１の腹側に位置する放音口１５が親指２７の側に向き、グリップ側係留部１４の周りの裏側（放音口１６の存在する側）が人差指２６の腹で受け止められる。そして、使用者が親指をグリップ側係留部１４の周りの表側（放音口１５の存在する側）に添えて、使用者がホイッスル１１を親指２７と人差指２６とで把持することができる。
【００２８】
このように使用者がホイッスル１１を人差指２６と親指２７とで持つと、マウスピース部１２が人差指２６と親指２７との間から離れる方向に直線的に延び、その先にマウスピース部１２の吹き口１８が配置される。これによって、使用者が、ホイッスル１１を口に持って行くように右手に肘を顔の側に無理なく曲げて、マウスピース部１２の吹き口１８の側を口に適切にくわえて、ホイッスル１１を吹くことができる。
【００２９】
つまり、図３及び図４に示すように、ホイッスル１１を定形連結具９で連結したホイッスル用グリップ１が使用者の例えば右手又は左手に装着された状態において、ホイッスル１１の腹側がホイッスル用グリップ１に折り重なった状態から、使用者がホイッスル１１を人差指２６の側に回転させて親指２７と人差指２６とで持つことができるので、ホイッスル１１を、走るためやボディーランゲージの際に指から離した状態から吹く体勢に、瞬時に構えることができる。
【００３０】
図３では、隣り合う２本の指のうちの一方の指を中指２３とし、隣り合う２本の指のうちの他方の指を薬指２４と仮定し説明したが、隣り合う２本の指は中指２３と薬指２４とに限定されるものではなく、中指２３と人差指２６とであってもよく、薬指２４と小指２５とであってもよい。しかしながら、隣り合う２本の指のうちの一方の指を中指２３とし、隣り合う２本の指のうちの他方の指を薬指２４とすれば、ホイッスル用グリップ１が装着される右手の全部の指の腹側に収まる大きさとなり、ホイッスル用グリップ１の大きさがホイッスル１１を走るためやボディーランゲージの際に指から離した状態から吹く体勢に瞬時に構えるのに好都合な大きさとなる。
【００３１】
「実施の形態２」
図５を参照し、実施の形態２に係るホイッスル用グリップ１について説明する。第２指腹部６（図２参照）及び第２指腹部６の側に位置するグリップ側係留部７（図２参照）が除去されても、第２指甲部５が存在しているので、ホイッスル用グリップ１が手に装着された場合、第２指甲部５がホイッスル用グリップ１の回転を阻止し、ホイッスル用グリップ１が回転しないように適切に装着される。指間部２と第１指甲部３と第１指腹部４及び第２指甲部５が、使用者の手に装着する装着部を構成する。
【００３２】
「実施の形態３」
図６を参照し、実施の形態３に係るホイッスル用グリップ１について説明する。第２指甲部５（図２参照）が除去されても、第２指腹部６が存在しているので、ホイッスル用グリップ１が手に装着された場合、第２指腹部６がホイッスル用グリップ１の回転を阻止し、ホイッスル用グリップ１が回転しないように適切に装着される。この場合、第２指腹部６の側に位置するグリップ側係留部７は除去してもしなくてもよい。指間部２と第１指甲部３と第１指腹部４及び第２指腹部６が、使用者の手に装着する装着部を構成する。
【００３３】
「実施の形態４」
図示は省略するが、ホイッスル用グリップ１の装着部は、例えば、指輪のように手の指に嵌める構造、手に嵌めたり又は巻き付けたりする構造でもよい。この場合、ホイッスル用グリップ１の装着部の指の腹側に位置する部分又は掌側に位置する部分には、グリップ側係留部７が設けられる。
【符号の説明】
【００３４】
１はホイッスル用グリップ、２は指間部、３は第１指甲部、４は第１指腹部、５は第２指甲部、６は第２指腹部、７はグリップ側係留部、８は貫通孔、９は定形連結具、１０は欠番、１１はホイッスル、１２はマウスピース部、１３は共鳴室部、１４はホイッスル側係留部、１５；１６は放音口、１７は貫通孔、１８は吹き口、１９；２０は欠番、２１；２２は隣り合う２本の指、２３は中指、２４は薬指、２５は小指、２６は人差指、２７は親指、２８乃至３０は欠番、３１はグリップ、３２はホイッスル、３３は指、３４はグリップ、３５はホイッスル、３６はベルト、３７は手首、３８は人差指、３９は親指。
【図１】
2010256484.tif 000003
【図２】
2010256484.tif 000004
【図３】
2010256484.tif 000005
【図４】
2010256484.tif 000006
【図５】
2010256484.tif 000007
【図６】
2010256484.tif 000008
【図７】
2010256484.tif 000009
【図８】
2010256484.tif 000010